(57)【要約】本発明は内部の加熱された空気を容易に排出できる乾燥機を提供する。本発明は洗濯物を収容して一定の方向に回転するドラム３２；前記洗濯物を乾燥させるため、前記ドラム３２内に供給される加熱空気を生成する加熱手段３３；前記ドラム３２内の加熱空気を外部に排出させる排気アセンブリー；そして、前記ドラム３２、加熱手段３３及び排気アセンブリーを収容するように構成され、前記ドラム３２の回転により前記加熱手段３３または排気アセンブリー周辺で発生する空気流動を排出する吐出口５０を含むキャビネット３０からなり、前記加熱手段３３及び排気アセンブリーなどにより二次的に加熱された内部空気を排出させることを特徴とする。【選択図】図３
2005501628.tif 000002
【特許請求の範囲】
【請求項１】
洗濯物を収容して一定の方向に回転するドラム；
前記洗濯物を乾燥させるため、前記ドラム内に供給される加熱空気を生成する加熱手段；
前記ドラム内の加熱空気を外部に排出させる排気アセンブリー；そして
前記ドラム、加熱手段及び排気アセンブリーを収容するように構成され、前記ドラムの回転により前記加熱手段または排気アセンブリー周辺で発生する空気流動を排出する吐出口を含むキャビネットからなり、前記加熱手段及び排気アセンブリーなどにより二次的に加熱された内部空気を排出させる乾燥機。
【請求項２】
前記吐出口は前記空気流動が接触する前記キャビネットの一部に形成されることを特徴とする請求項１に記載の乾燥機。
【請求項３】
前記加熱手段及び排気アセンブリーは前記キャビネットの下部に位置し、前記吐出口は前記キャビネットの下部側壁に形成されることを特徴とする請求項２記載の乾燥機。
【請求項４】
前記吐出口は前記ドラムの最下部における前記ドラムの回転方向接線と接するキャビネットの側壁一部に形成されることを特徴とする請求項３に記載の乾燥機。
【請求項５】
前記吐出口は前記ドラムの回転方向に従って右側または左側側壁に形成されることを特徴とする請求項４に記載の乾燥機。
【請求項６】
前記吐出口は空気案内手段をさらに含むことを特徴とする請求項１に記載の乾燥機。
【請求項７】
前記キャビネットの底面に形成され、前記キャビネット内部に外部の空気を吸入する吸入口をさらに含むことを特徴とする請求項１に記載の乾燥機。
【請求項８】
前記吸入口は空気案内手段をさらに含むことを特徴とする請求項７に記載の乾燥機。
【請求項９】
洗濯物を収容して一定の方向に回転するドラム；及び
乾燥機のキャビネットに形成され、前記ドラムの回転により各種内部熱源の周辺で発生する空気流動を排出する吐出口からなり、前記熱源により二次的に加熱された内部空気を排出させる乾燥機の空気流動構造。
【請求項１０】
前記吐出口は前記空気流動が接触する前記キャビネットの一部に形成されることを特徴とする請求項９に記載の乾燥機の空気流動構造。
【請求項１１】
前記熱源は前記キャビネットの下部に位置し、前記吐出口は前記キャビネットの下部側壁に形成されることを特徴とする請求項１０記載の乾燥機の空気流動構造。
【請求項１２】
前記吐出口は前記ドラムの最下部における前記ドラムの回転方向接線と接するキャビネットの側壁一部に形成されることを特徴とする請求項１１に記載の乾燥機の空気流動構造。
【請求項１３】
前記吐出口は前記ドラムの回転方向に従って右側または左側側壁に形成されることを特徴とする請求項１２に記載の乾燥機の空気流動構造。
【請求項１４】
前記吐出口は空気案内手段をさらに含むことを特徴とする請求項９に記載の乾燥機の空気流動構造。
【請求項１５】
前記キャビネットの底面に形成され、前記キャビネット内部に外部の空気を吸入する吸入口をさらに含むことを特徴とする請求項９に記載の乾燥機の空気流動構造。
【請求項１６】
前記吸入口は空気案内手段をさらに含むことを特徴とする請求項１５に記載の乾燥機の空気流動構造。
【発明の詳細な説明】
【０００１】
技術分野
本発明は乾燥機に関するもので、より詳しくは乾燥機のキャビネット内部の空気を外部に排出させるための乾燥機の空気流動構造に関する。
【０００２】
背景技術
図１には一般的な乾燥機の要部構成が分解斜視図として示されており、図２には一般的な乾燥機の要部構成が断面図として示されている。
【０００３】
これらの図面を参照すれば、外観を構成するキャビネット２８の内部にドラム１が設けられる。前記ドラム１は開放された両端部を有し、別途の駆動源により駆動し、外周面に形成されたベルト溝２に巻かれるベルト（図示せず）により回転する。前記ドラム１内部には乾燥のために洗濯物を収容する乾燥チャンバー５が形成される。また前記乾燥チャンバー５の内部円周面上にはドラム１の回転中、前記乾燥チャンバー５内部にある洗濯物を覆すバッフル６が形成される。
【０００４】
前記ドラム１の前端と後端には各々前方ヘッド７と後方ヘッド９が設けられる。前記前方ヘッド７及び後方ヘッド９は回転するドラム１の前端と後端とを各々支持することになる。この時、相対的に回転する前記前方ヘッド７とドラム１との間、及び前記後方ヘッド９とドラム１との間には漏洩を防止するためのシーリング材１０が設けられる。前記前方ヘッド７には前記乾燥チャンバー５の内部を外部と連通させる通孔８が形成され、かかる前記通孔８はドア（図示せず）により選択的に開閉される。
【０００５】
前記ドラム１には前記前方ヘッド７から乾燥機の外部まで延長される排気アセンブリーが設けられる。前記排気アセンブリーは洗濯物を乾燥させた加熱空気を乾燥機外部に排出させる役割を行い、出口組立体１３、リントフィルター１４、リントダクト１５、ブロワー１７、排気パイプ１９を含む。より詳しくは、まず前記前方ヘッド７の通孔８の下端に前記乾燥チャンバー５から空気を排出させるため、多数の部品からなる出口組立体１３が備えられる。前記出口組立体１３にはリントフィルター１４が設けられる。前記リントフィルター１４は前記乾燥チャンバー５から出る空気に混ぜられている異物（抜糸やちり）を取り出す。前記出口組立体１３に連通してリントダクト１５が設けられるが、前記リントフィルターは前記リントダクト１５の内部と出口組立体１３にかけて位置する。前記リントダクト１５に連結されるようにブロワー１７が設けられて前記リントダクト１５を通じて前記乾燥チャンバー５内部の空気を吸い出すことになる。前記ブロワー１７はブロワーハウジング１８の内部に設けられる。前記ブロワーハウジング１８の一端は前記リントダクト１５に連通され、他端は排気パイプ１９に連結される。従って、前記乾燥チャンバー５から出て前記リントダクト１５を通過した空気は前記ブロワー１７により前記排気パイプ１９を通じて外部に排出される。
【０００６】
前記後面ヘッド９にはエアー供給ダクト１２が設けられるが、前記エアー供給ダクト１２は前記乾燥チャンバー５の内部に加熱空気を供給する通路の役割をする。そして、前記エアー供給ダクト１２と連結されるように熱風ダクト２０が設けられる。前記熱風ダクト２０は前記乾燥チャンバー５の内部に必要な熱風を誘導する。このため、前記熱風ダクト２０の入口にはガスバーナー２１を構成するガスノズル２２が設けられる。前記ガスノズル２２は供給されたガスを噴射させる役割を果たす。このようなガスノズル２２にはガスの供給を制御するためのバルブが備えられる。図面符号２３はガス管である。前記ガスノズル２２から噴射されるガスと１次空気を混合するための混合管２４が前記熱風ダクト２０の入口から内部に延長して設けられる。前記混合管２４の内部では前記ガスノズル２２から噴射されたガスと前記混合管２４の入口を通じて流入された外部空気、即ち１次空気が混ぜられる。前記混合管２４の先端にはスパークプラグ２６が設けられて点火のためのスパークを発生させる。
【０００７】
しかし、上述のような構成を有する従来技術には次のような問題点があった。
【０００８】
図２に示すように、前記キャビネット２８の内部は完全に密閉された空間ではないものの、外部との空気流動が円滑ではない。そして、前記バーナー２１によって一次的に加熱されて乾燥チャンバー５に移送される空気以外にも、キャビネット２８の内部空気は各種熱源によって二次的に加熱される。即ち、前記キャビネット２８内部空気は前記ガスバーナー２１で発生する熱、ドラム５を駆動させるためのモーターやブロワーを駆動させるためのモーターなどで発生する熱、そして前記加熱空気を排出する排気アセンブリーで発生する熱などによって二次的に加熱される。従って、前記キャビネット２８の内部空気は乾燥機使用中に相対的に高い温度になり、特に前記ドラム５の回転によりキャビネット２８内部である一方方向に集まる。例えば、前記ドラム５が図２の矢印Ａ方向に回転すると、ドラム５の回転方向に従ってキャビネット２８の内部で流動する。
【０００９】
より詳しくは、上述のようにバーナー２１及び排気アセンブリーなどのような各種熱源が位置するため、前記ドラム５の下部では相対的に多くの熱が発生する。前記ドラム５の回転により加熱されたドラム５下部の空気はキャビネット２８内部の一方の領域（Ｈ）に集まる。特に、この領域（Ｈ）はドラム５とキャビネット２８との間の狭いギャップに位置するため、空気流動が停滞する。
【００１０】
結局、乾燥機の作動途中、前記領域（Ｈ）に隣接するキャビネット２８の一部分は続いて加熱される。前記キャビネット２８の一部分は熱により損傷し、ユーザーはこのような加熱されたキャビネット２８により火傷を負う可能性がある。
【００１１】
発明の開示
本発明は前記問題を解決するためになされたもので、本発明の目的は内部の加熱された空気を外部に円滑に排出できる乾燥機を提供するものである。
【００１２】
上記目的を達成するため、本発明は洗濯物を収容して一定の方向に回転するドラム；前記洗濯物を乾燥させるため、前記ドラム内に供給される加熱空気を生成する加熱手段；前記ドラム内の加熱空気を外部に排出させる排気アセンブリー；そして前記ドラム、加熱手段及び排気アセンブリーを収容するように構成され、前記ドラムの回転により前記加熱手段または排気アセンブリー周辺で発生する空気流動を排出する吐出口を含むキャビネットからなり、前記加熱手段及び排気アセンブリーなどにより二次的に加熱された内部空気を排出させる乾燥機を提供する。
【００１３】
ここで、前記吐出口は前記空気流動が接触する前記キャビネットの一部に形成されることが望ましく、一般的に前記加熱手段及び排気アセンブリーは前記キャビネットの下部に位置するため、前記吐出口は実施的に前記キャビネットの下部側壁に形成される。
【００１４】
より好ましくは、前記吐出口は前記ドラムの最下部における前記ドラムの回転方向接線と接するキャビネットの側壁一部に形成され、前記ドラムの回転方向に従って右側または左側側壁に形成される。
【００１５】
また、前記吐出口は空気案内手段をさらに含むことが望ましい。
【００１６】
一方、本発明の乾燥機は前記キャビネットの底面に形成され、前記キャビネット内部に外部の空気を吸入する吸入口をさらに含むことができ、このような吸入口は好ましくは空気案内手段をさらに含む。
【００１７】
このような本発明より、キャビネット内部空間の加熱された空気流動が円滑に排出され、内装部品やユーザーが、加熱された空気により損傷することを防止できる。
【００１８】
発明を実施するための最良の形態
以下、前記目的を具体的に実現できる本発明の好ましい実施例を添付の図面を参照しながら説明する。下記にて従来と同一構成に関する詳しい説明は省略される。
【００１９】
図３は本発明による乾燥機の内部構成を示した断面図である。同図に示すように、キャビネット３０が乾燥機の外観を形成する。乾燥機はその製品仕様に従いフロントパネル、トップパネル、リアパネルなどをさらに含み得る。
【００２０】
前記キャビネット３０により乾燥機内部に空間３１が形成される。前記空間３１には乾燥機を構成する各種部品が設けられる。まず、内部に乾燥チャンバーを含むドラム３２が回転可能に設けられる。前記ドラム３２は別途の駆動モーター（図示せず）により回転する。前記空間３１の下部、即ち前記ドラム３２の下方に該当する位置には加熱手段３３が備えられる。前記加熱手段３３としては電気ヒーターやガスバーナーが用いられる。前記加熱手段３３で発生する熱は前記熱風ダクト３３´内から前記ドラム３２の内部に供給される加熱空気を形成する。そして、かかる加熱空気は熱風ダクト３３´により誘導されて所定のダクト（図示せず、図１のエアー供給ダクト１２と同一）を経て前記ドラム３２内部に移送される。
【００２１】
また、前記乾燥チャンバー内の加熱空気を外部に排出するため、前記ドラム１には排気アセンブリーが設けられ、前記図１に示した一般的な排気アセンブリーとほぼ同一の構造を有する。かかる排気アセンブリーにおいて、前記ドラム３２の先端には出口組立体３４が設けられる。前記出口組立体３４は前記ドラム３２内部で乾燥作用を行った加熱空気をドラム３２から排出する。前記出口組立体３４には抜糸などの異物質を取り出すためのリントフィルター３５が設けられる。そして、前記出口組立体３４には排出流路３６が形成される。前記排出流路３６と連結してブロワーハウジング３８が設けられ、前記ブロワーハウジング３８の内部にはブロワー３７が設けられて前記排出流路３６を通じてドラム３２内部の空気を排出させる。前記ブロワー３７により形成される空気流動は前記ブロワーハウジング３８と連結された排出ダクト３９を通じて外部に排出される。
【００２２】
先に説明した乾燥機の各種部品（例えば、加熱手段及び排気アセンブリーなど）はドラム１を除き、安定的に支持されるように一般的には前記キャビネット３０の底面に設けられる。合わせて、前記底面の４角にはかかる乾燥機をさらに安定的に支持するためのレッグ（ｌｅｇ）４２が備えられる。
【００２３】
一方、乾燥のための加熱空気以外にもキャビネット３０内部空気は熱源として作用する各種内部部品によりに二次的に加熱され、前記熱源中でもバーナーなどのような加熱手段及び排気アセンブリーの影響が、かかる二次的加熱において一番大きい。即ち、前記加熱手段及び排気アセンブリー周辺の空気が一番激しく加熱される。かかる加熱空気はドラム３２の回転により流動し、且つ前記キャビネット３０を局部的に加熱し、更には各内部部品に部分的に損傷を誘発する。従って、本発明において、前記ドラムの回転３２により前記熱源周辺で発生する加熱された空気の流動を排出するように吐出口５０が前記キャビネット３０に形成される。
【００２４】
前記吐出口５０は前記キャビネット３０の直接的な加熱を防止するように、前記キャビネット３０の前記空気流動と接触する部位に形成されることが望ましい。即ち、前に説明した通り、前記加熱手段３３及び排気アセンブリーのような主要熱源が前記キャビネット３０の下部に位置する場合、前記吐出口はこれに応じて前記キャビネット３０の下部側壁に形成される。
【００２５】
より詳しくは、前記ドラム３２の回転中、その周辺にそって同一の方向に回転する空気流動は、その外周面で接線方向に離脱することになるため、前記吐出口５０は実際の空気流動の進行方向の延長腺上に形成されることが好ましい。従って、前記吐出口５０は、好ましくは前記ドラム３２の最下部における前記ドラムの回転方向接線（点線表示）と接するキャビネット３０の側壁一部に形成される。反面、前に言及した通り、前記ドラム３２の回転方向によって空気の流動方向が決められるので、前記吐出口５０は前記ドラム３２の回転方向に従ってその位置を異にして形成されるべきである。従って、前記吐出口５０は前記ドラム３２の回転方向に従って前記キャビネット３０の右側または左側側壁に形成される。即ち、本実施例にて図３に示すように、ドラム３２が矢印Ａ方向（時計方向）に回転すると、前記キャビネット３０の左側壁下端に吐出口５０が形成される。もし前記ドラム３２の回転方向が逆になると、前記吐出口５０は逆にキャビネット３０の右側側壁に形成される。
【００２６】
また、前記吐出口５０は外部に空気を円滑に排出するため、所定の空気案内手段をさらに含み得、かかる空気案内手段としては前記吐出口５０に形成される所定の長さのダクト又はルーバーなどからなり得る。
【００２７】
なお、前記空間３１内部における空気流動をより円滑にするため、前記キャビネット３０の底面には付加的に吸入口６０が形成され得る。かかる吸入口６０を通じては乾燥機外部の相対的に低い温度の空気が前記キャビネット３０の内部に吸入され得る。そして、前記吐出口５０と同様に外部空気吸入をより円滑にするため、前記吸入口６０にもルーバーやダクトのような空気案内手段がさらに形成され得る。
【００２８】
以下、上述した本発明による乾燥機の作用を説明すれば、次の通りである。
【００２９】
乾燥機が駆動すると、まず前記ドラム３２が回転し、前記ドラム３２の内部へ前記熱源３３から提供された熱により形成された熱風が熱風ダクト３３´を通じて供給される。従って、前記ドラム３２の内部では洗濯物が回転しながら乾燥される。前記ドラム３２の乾燥作用を行った加熱空気は前記ブロワー３７によりドラム３２から出て、前記排出ダクト３９を通じて乾燥機の外部に排出される。
【００３０】
これと同時に、前記キャビネット３０の内部空間３１では前記ドラム３２の回転による空気流動が起こり、これは図４に詳しく示されている。図４を参照すれば、前記ドラム３２が時計方向（矢印Ａ）に回転するに従って、前記空間３１の内部には前記ドラム３２が回転する方向への空気流動が発生する。特に、前記ドラム３２の回転により、前記ドラム３２の下部に位置した各種熱源（即ち、加熱手段３３及び排気アセンブリー）周辺で加熱された空気の流動が形成される。そして、このような空気流動は前記ドラム３２から離脱してキャビネット３２の側面、より詳しくは前記吐出口５０方向に続いて進行する。従って、一次的に内部空間３１内の加熱空気は前記吐出口５０を通じて外部に容易に排出される。
【００３１】
一方、前記吸入口６０が形成される場合、乾燥機外部の空気は前期内部空間３１内の空気流動により誘導されて前記吸入口６０を通じて吸入され、前記吸入された空気もまた前記ドラム３２の回転により前記吐出口５０方向に流動する。従って、前記内部空間３１内では空気の流動がより円滑に形成されるため、前記吐出口５０を通じた空気流動の排出が促進され、加熱された内部空気がさらに円滑に排出される。また、前記外部空気は乾燥機内部空気に比べて温度が低いため、吸入された外部空気は前記空間３１内部の温度を低める役割を果たすと共に、前記ドラム３２で発生する熱を冷却させる役割もする。従って、前記吐出口５０を通じて吐出される空気は前記吸入口６０を通じて吸入された空気により相対的に低い温度になって乾燥機の外部に吐出される。
【００３２】
上記にいくつかの実施例を説明したにもかかわらず、本発明がこの趣旨及び範疇から外れず、他の多様な形態に具体化され得るという事実は該当技術に通常の知識を有する者には自明なものである。従って、上述した実施例は制限的なものではない例示的なものとして考えるべきであり、添付の請求項及びこの同等範囲内にある全ての実施例は本発明の範疇内に含まれる。
【００３３】
産業上の利用可能性
本発明による乾燥機は適切に設計された吐出口を通じて、キャビネット内部空間の加熱された空気をドラム回転により発生する空気の流動を用いて外部に排出できる。従って、乾燥機を構成する構成部品が熱により損傷することを最少化できる効果がある。
【００３４】
特に、キャビネット内部の空気を排出する吐出口がドラムの回転方向を考慮して形成され、キャビネット内部に形成される空間として外部の相対的に低い温度の空気を吸入する吸入口がキャビネットの底面に形成される。従って、前記空気吐出口から吐出される空気の温度が相対的に低くなって前記キャビネットが熱により損傷するか、ユーザーが熱により負傷することを防止できる効果がある。
【図面の簡単な説明】
【図１】
図１は一般的な乾燥機の要部構成を示す分解斜視図である。
【図２】
図２は一般的な乾燥機の要部構成を示す正断面図である。
【図３】
図３は本発明による乾燥機を示す断面図である。
【図４】
図４は本発明の乾燥機内部における空気流動を示す断面図である。
【国際公開パンフレット】
2005501628.tif 000003
2005501628.tif 000004
2005501628.tif 000005
2005501628.tif 000006
2005501628.tif 000007
2005501628.tif 000008
2005501628.tif 000009
2005501628.tif 000010
2005501628.tif 000011
2005501628.tif 000012
2005501628.tif 000013
2005501628.tif 000014
2005501628.tif 000015
2005501628.tif 000016
2005501628.tif 000017
2005501628.tif 000018
2005501628.tif 000019
2005501628.tif 000020
2005501628.tif 000021
【国際調査報告】
2005501628.tif 000022
2005501628.tif 000023